(57)【要約】【課題】レンズシートを用いた透過型スクリーンについて、環境変化に左右されないよう平面性を保持すること。【解決手段】本発明は、投影装置から照射された映像を映し出すため、フレネルレンズおよびレンチキュラレンズを有する複数のレンズスクリーンを備えており、複数のレンズスクリーンのうち一方（レンチキュラレンズスクリーン１２）が樹脂製のレンズシートによって構成され、他方（フレネルレンズスクリーン１１）が透明もしくは半透明の基板にレンズを保持して成るレンズ基板によって構成される透過型スクリーン１において、レンズシートの上下端が自由保持されているとともに、下端に当該レンズシートを下方に引っ張るテンション部材（例えば、重り３０）が設けられている透過型スクリーン１である。【選択図】図１
2009047816.tif 000002
【特許請求の範囲】
【請求項１】
投影装置から照射された映像を映し出すため、フレネルレンズおよびレンチキュラレンズを有する複数のレンズスクリーンを備えており、
前記複数のレンズスクリーンのうち一方が樹脂製のレンズシートによって構成され、他方が透明もしくは半透明の基板にレンズを保持して成るレンズ基板によって構成される透過型スクリーンにおいて、
前記レンズシートの上下端が自由保持されているとともに、下端に当該レンズシートを下方に引っ張るテンション部材が設けられている
ことを特徴とする透過型スクリーン。
【請求項２】
前記テンション部材は、重りから成る
ことを特徴とする請求項１記載の透過型スクリーン。
【請求項３】
前記テンション部材は、バネから成る
ことを特徴とする請求項１記載の透過型スクリーン。
【請求項４】
前記テンション部材は、前記レンズシートの下端の横方向に配置される棒材と、当該棒材を介して前記テンション部材を下方に引っ張るバネとを有する
ことを特徴とする請求項１記載の透過型スクリーン。
【請求項５】
前記レンズシートの上端および下端に横方向の筒を構成し、その筒内に棒材が挿入されている
ことを特徴とする請求項１記載の透過型スクリーン。
【請求項６】
前記レンズシートの上端には折り曲げ部が形成されている
ことを特徴とする請求項１記載の透過型スクリーン。
【請求項７】
投影装置から照射された映像を映し出す透過型スクリーンと、
前記透過型スクリーンを保持する保持部材を有する筐体とを備えるリアプロジェクション装置において、
前記透過型スクリーンは、
フレネルレンズおよびレンチキュラレンズを有する複数のレンズスクリーンのうち一方が樹脂製のレンズシートによって構成され、他方が透明もしくは半透明の基板にレンズを保持して成るレンズ基板によって構成されており、
前記レンズシートの上下端が自由保持されているとともに、下端に当該レンズシートを下方に引っ張るテンション部材が設けられている
ことを特徴とするリアプロジェクション装置。
【請求項８】
前記テンション部材は、重りから成る
ことを特徴とする請求項７記載のリアプロジェクション装置。
【請求項９】
前記テンション部材は、バネから成る
ことを特徴とする請求項７記載のリアプロジェクション装置。
【請求項１０】
前記テンション部材は、前記レンズシートの下端の横方向に配置される棒材と、当該棒材を介して前記テンション部材を下方に引っ張るバネとを有する
ことを特徴とする請求項７記載のリアプロジェクション装置。
【請求項１１】
前記レンズシートの上端および下端に横方向の筒を構成し、その筒内に棒材が挿入されている
ことを特徴とする請求項７記載のリアプロジェクション装置。
【請求項１２】
前記レンズシートの上端には折り曲げ部が形成されている
ことを特徴とする請求項７記載のリアプロジェクション装置。
【発明の詳細な説明】
【技術分野】
【０００１】
本発明は、投影装置から照射された映像を映し出す透過型スクリーンおよびこの透過型スクリーンを用いたリアプロジェクション装置に関する。
【背景技術】
【０００２】
投影装置から照射された映像を映し出すリアプロジェクション装置の透過型スクリーンは、一般にフレネルレンズシートとレンチキュラレンズシートとの２つの光学シートがかならず組み合わせて構成されている。光学シートは、フレネルレンズシートが入射側に、レンチキュラレンズシートが出射側に配置される。
【０００３】
いずれの光学シートも０．１ｍｍ〜０．４ｍｍ程度と薄く、単体では自立できず、また平面度も取れない。そのため、通常は２ｍｍ程度の厚みの基板（樹脂、ガラス）にシートをそれぞれ貼合して２枚を合わせて、金具などでセット前面に取り付けてある。
【０００４】
しかし、基板と光学シートの温度や湿度の膨張率の違いから、環境の変化で反り等が発生して、結果、画歪みやフォーカスぼけを生じるという問題が以前より指摘されている。そこで、基板に貼合しないで、光学シートをそのまま、あるいは、拡散シートなど他のシートに貼合したスクリーン（以下、シートスクリーン）を用いることが考えられている。これによれば、基板（樹脂、ガラス）や貼合を省略でき、反りが発生せず、またコストダウンが可能となるため、その実用化が望まれている（特許文献１〜１０参照）。
【０００５】
【特許文献１】実開昭６１−１１２３２９号公報
【特許文献２】実開昭５９−１２１６４６号公報
【特許文献３】特開平０３−２８２４４２号公報
【特許文献４】特開２００３−２７０７１６号公報
【特許文献５】特開平０７−０９２５６５号公報
【特許文献６】特開平０５−０４０３１５号公報
【特許文献７】特開２０００−０４７３３１号公報
【特許文献８】実開平０１−０６９２２９号公報
【特許文献９】実開昭６１−１１２３３０号公報
【特許文献１０】実開昭６０−１５４９４０号公報
【発明の開示】
【発明が解決しようとする課題】
【０００６】
しかし、上記で述べたように、シートスクリーンはそのままでは平面度がとれないので、なんらかのテンションを加える必要がある。ここで、上記特許文献１〜３などに見られるように、ばねなどで直接シートにテンションをかける方式の場合、シートに局所的に応力がかかり、しわがよりやすくなる。
【０００７】
また、特許文献３〜１０などに見られるように、枠材などをシート周辺に接着あるいは固定してそれにテンションをかける方式の場合は均一に力をかけることはできるものの、シートと枠材の温湿度膨張率の違いから、どうしても環境変化時にしわがよりやすい。
【０００８】
一般に、樹脂を枠材に用いると温度膨張率の違いから、また、鉄やアルミのような金属を枠材に用いると湿度膨張率の違いから、しわとなる。さらに、スクリーンの大型化に伴い、どうしても治具が大掛かりになってしまい、かえってコストがかかってしまうことになる。すなわち、均一に力をかける事と、環境変化時にしわがよらないこと、構造が簡単なことを両立させることが、シートスクリーン成立の難点となっている。
【課題を解決するための手段】
【０００９】
本発明はこのような課題を解決するために成されたものである。すなわち、本発明は、投影装置から照射された映像を映し出すため、フレネルレンズおよびレンチキュラレンズを有する複数のレンズスクリーンを備えており、複数のレンズスクリーンのうち一方が樹脂製のレンズシートによって構成され、他方が透明もしくは半透明の基板にレンズを保持して成るレンズ基板によって構成される透過型スクリーンにおいて、レンズシートの上下端が自由保持されているとともに、下端に当該レンズシートを下方に引っ張るテンション部材が設けられている透過型スクリーンである。
【００１０】
このような本発明では、複数のレンズスクリーンのうち一方が樹脂製のレンズシート、他方がレンズ基板によって構成され、樹脂製のレンズシートの上下端が自由保持されていることから、レンズシートが環境変化によって膨張収縮しても自由保持の部分で吸収し、しわの発生を抑制できるようになる。また、レンズシートの下端をテンション部材によって下方に引っ張ることから、平坦性も維持できることになる。
【００１１】
ここで、レンズシートの上下端についての自由保持とは、レンズシートが環境変化による膨張収縮した場合にその膨張収縮による寸法変化を妨げず、レンズ基板との隙間が光学的特性を維持できる程度に保持できる締結度合いをいう。
【００１２】
また、テンション部材は、重りであったり、バネであったりする。また、テンション部材は、レンズシートの下端の横方向に配置される棒材と、当該棒材を介してテンション部材を下方に引っ張るバネとを有するものでもある。
【００１３】
また、レンズシートの上端および下端に横方向の筒を構成し、その筒内に棒材が挿入されるものでもある。これにより、レンズシートの横方向の支持と縦方向のぶら下げによる支持とを行うことができるようになる。また、レンズシートの上端に折り曲げ部が形成されているものでもある。これにより、簡単な折り曲げ構成でレンズシートの横方向の支持と縦方向のぶら下げによる支持とを行うことができるようになる。
【００１４】
また、本発明は、投影装置から照射された映像を映し出す透過型スクリーンと、透過型スクリーンを保持する保持部材を有する筐体とを備えるリアプロジェクション装置において、透過型スクリーンが、フレネルレンズおよびレンチキュラレンズを有する複数のレンズスクリーンのうち一方が樹脂製のレンズシートによって構成され、他方が透明もしくは半透明の基板にレンズを保持して成るレンズ基板によって構成されており、レンズシートの上下端が自由保持されているとともに、下端に当該レンズシートを下方に引っ張るテンション部材が設けられているリアプロジェクション装置である。
【００１５】
このような本発明では、リアプロジェクション装置に適用される透過型スクリーンにおいて、複数のレンズスクリーンのうち一方が樹脂製のレンズシート、他方がレンズ基板によって構成され、樹脂製のレンズシートの上下端が自由保持されていることから、レンズシートが環境変化によって膨張収縮しても自由保持の部分で吸収し、しわの発生を抑制できるようになる。また、レンズシートの下端をテンション部材によって下方に引っ張ることから、平坦性も維持できることになる。
【発明の効果】
【００１６】
したがって、本発明によれば、大型で、しかも、厚さが薄くフィルム状の剛性のないフレネルレンズまたはレンチキュラレンズ等のレンズシートについて、環境変化に左右されないよう平面性を保持することが可能となる。これにより、安価かつ簡便に平面性の優れた透過型スクリーンを有するリアプロジェクション装置を提供することが可能となる。
【発明を実施するための最良の形態】
【００１７】
以下、本発明の実施の形態を図に基づき説明する。本実施形態に係る透過型スクリーンは、大型で、しかも、厚さが例えば０．１ｍｍ〜１ｍｍのフィルム状の剛性のないフレネルレンズまたはレンチキュラレンズから成るレンズシートについて、環境変化に左右されないよう平面性を保持できる点に特徴がある。
【００１８】
＜透過型スクリーンの概要＞
図１は、本実施形態に係る透過型スクリーンの概要を説明する模式斜視図である。本実施形態に係る透過型スクリーン１は、投影装置から照射された映像を透過側の面に映し出すもので、映像が照射される側（入射側）にフレネルレンズスクリーン１１が配置され、映像が透過する側（出射側）にレンチキュラレンズスクリーン１２が配置される構成となっている。
【００１９】
本実施形態では、フレネルレンズスクリーン１１およびレンチキュラレンズスクリーン１２のうち一方が樹脂製のレンズシート、他方が透明もしくは半透明の基板にレンズを保持して成るレンズ基板によって構成される。図１に示す例では、フレネルレンズスクリーン１１がレンズ基板、レンチキュラレンズスクリーン１２がレンズシートによって構成されている。なお、フレネルレンズスクリーン１１がレンズシート、レンチキュラレンズスクリーン１２がレンズ基板の構成でもよいが、本実施形態ではフレネルレンズスクリーン１１がレンズ基板、レンチキュラレンズスクリーン１２がレンズシートの場合を例として説明する。
【００２０】
フレネルレンズスクリーン１１とレンチキュラレンズスクリーン１２とは重ねて配置され、所定の間隔を保持した状態で透過型スクリーン１としての役目を果たすようになっている。
【００２１】
フレネルレンズスクリーン１１を構成するレンズ基板は、厚さ２ｍｍ程度の透明もしくは半透明から成るガラス基板もしくは樹脂基板にシート状のフレネルレンズが貼り合わされたものとなっている。一方、レンチキュラレンズスクリーン１２を構成するレンズシートは、厚み０．１ｍｍ〜０．９ｍｍ程度の例えばＰＥＴ（polyethylene terephthalate）を素材としてレンチキュラレンズが設けられたシート状の光学薄膜となっている。
【００２２】
このような構成から成るレンチキュラレンズスクリーン１２（レンズシート）は単体での自立ができず、平面度も取れない。このため、本実施形態では、レンチキュラレンズスクリーン１２（レンズシート）の上下端を自由保持するとともに、下端にレンチキュラレンズスクリーン１２（レンズシート）を下方に引っ張るテンション部材を設けている。
【００２３】
ここで、レンチキュラレンズスクリーン１２（レンズシート）の自由保持とは、レンチキュラレンズスクリーン１２（レンズシート）が温度や湿度等の環境変化によって膨張収縮した場合にその膨張収縮による寸法変化を妨げず、フレネルレンズスクリーン１１（レンズ基板）との隙間が光学的特性を維持できる程度に保持する締結度合いをいう。本実施形態では、レンチキュラレンズスクリーン１２（レンズシート）の自由保持を実現するため、レンチキュラレンズスクリーン１２（レンズシート）の上下端を後述する止め具で軽く挟むようにしている。また、止め具からレンズシートが抜け出ないよう、上端に筒部２０ａを設けており、必要に応じて筒部２０ａ内に棒材を芯として入れている。
【００２４】
＜テンション部材の例（その１）＞
レンチキュラレンズスクリーン１２（レンズシート）を下方に引っ張るテンション部材の例（その１）では、レンチキュラレンズスクリーン１２（レンズシート）の下端に重り３０を設けたものとなっている。
【００２５】
すなわち、図１に示すように、レンチキュラレンズスクリーン１２（レンズシート）の下端に筒部２０ｂを設け、この筒部２０ｂ内に重り３０を挿入する。これにより、筒部２０ｂ内の重り３０の重さによってレンチキュラレンズスクリーン１２（レンズシート）が下方に引っ張られ、テンションがかかってレンズシートの平坦性を確保できる。
【００２６】
図２は、透過型スクリーンの上下端部分を説明する断面図である。レンチキュラレンズスクリーン１２（レンズシート）の上下端には筒部２０ａ、２０ｂが設けられ、上側の筒部２０ａ内に断面が四角い棒を、下側の筒部２０ｂ内に鉄などの重量のある棒を重り３０として通す。
【００２７】
筒部２０ａ、２０ｂは、レンチキュラレンズスクリーン１２（レンズシート）の上下端を丸め、あるいは折り曲げて、接着、両面テープなどの手段で作成するか、あるいは別の本体のシートと熱・湿度膨張率が０．８〜１．２倍の範囲内であるシートか弾性体のシートを筒状に作成して、本体のシートに接着剤や両面テープ等によって接着する。棒材３１や重り３０は筒部２０ａ、２０ｂに通すだけ、あるいは、一部一箇所固定するだけにする。
【００２８】
レンチキュラレンズスクリーン１２（レンズシート）の上側は、フレネルレンズスクリーン１１（レンズ基板）とともに止め具５１ａおよびベズル５２ａによって軽く挟み込まれた状態（自由保持）となっており、上側の筒部２０ａが引っ掛かることで抜け落ちを防止している。また、自由保持になってことで、環境変化による膨張収縮があってもそれを吸収することを妨げないようになっている。
【００２９】
また、レンチキュラレンズスクリーン１２（レンズシート）の下側は、筒部２０ｂ内の重り３０の荷重によって平面度を保つことができる。しかも、レンチキュラレンズスクリーン１２（レンズシート）の下側は、フレネルレンズスクリーン１１（レンズ基板）とともに止め具５１ｂおよびベズル５２ｂによって軽く挟み込まれた状態（自由保持）となっており、重り３０によるテンションがレンズシートにかかること、および環境変化による膨張収縮があってもそれを吸収することを妨げないようになっている。
【００３０】
棒材３１と筒部２０ａ、重り３０と筒部２０ｂとは、固定されていないか一箇所一部でしか固定されていないので、筒部２０ａ、２０ｂの中で棒材３１、重り３０が自由に動き、レンズシートとの間で膨張率が異なっていても、温度や湿度の環境の変化があってもレンズシートにしわが発生しないことになる。また、筒部２０ａ、２０ｂはレンズシートと同じ膨張率の材質で構成されるため、やはり環境の変化でレンズシートにしわが発生しないことになる。すなわち、レンズシートの上部も下部も均一に力がかかるので、しわが出ないことになる。
【００３１】
なお、筒部２０ａに通す棒材３１や重り３０の断面形状は、図２に示す四角形や円形に限るものではない。また、筒部２０ａ、２０ｂをレンズシート本体と別体で設け、接続する方法としては、融着、接着、糸などで縫う、両面テープなど、手段は問わない。
【００３２】
＜テンション部材の例（その２）＞
図３は、テンション部材の例（その２）を説明する断面図である。テンション部材の例（その２）では、先に説明したテンション部材の例（その１）による重り３０でレンチキュラレンズスクリーン１２（レンズシート）にテンションをかける代わりに、コイルバネ６０等のバネでテンションをかける例である。
【００３３】
コイルバネ６０等のバネをテンション部材として用いる場合には、レンチキュラレンズスクリーン１２（レンズシート）の下側の筒部２０ｂに通す棒材３２は重り３０（図２参照）でなくてもよい。
【００３４】
また、コイルバネ６０等のバネは１〜数個設ける。コイルバネ６０等のバネは、棒材３２と止め具５１ｂとの間に配置する。この場合、下側の筒部２０ｂは、バネの力を棒材にかけるよう、バネの取り付け箇所に切れ目を設けておく（後述）。これにより、棒材を介してレンチキュラレンズスクリーン１２（レンズシート）にテンションをかけることができ、均一な引っ張りを実現できる。
【００３５】
また、テンション部材のバネとしては、図４に示すような板バネ６１を用いてもよい。この場合、レンチキュラレンズスクリーン１２（レンズシート）の下側の筒部２０ｂには丸い棒材の代わりに板状の棒材３２を挿入しておく。
【００３６】
板バネ６１は、例えばＵ字型に構成し、一端を棒材３２、他端をベズル５２ｂの凸部に引っ掛ける。板バネ６１を用いることで、コイルバネ６０（図３参照）に比べてテンション部材の配置スペースを小さくできるメリットがある。
【００３７】
＜筒部の形状の例＞
図５は、レンチキュラレンズスクリーン（レンズシート）の下側の筒部の形状を説明する模式図である。図５（ａ）に示す例は、筒部２０ｂの一部に切れ目を設けておき、この切れ目の部分からコイルバネや板バネ等のバネを通し、筒部２０ｂ内に挿入される棒材に直接バネを引っ掛けられるようにしたものである。これにより、バネのテンションが棒材を介してレンチキュラレンズスクリーン１２（レンズシート）にかけられ、レンズシートに対して均一な力で引っ張ることができる。
【００３８】
また、図５（ｂ）に示す例は、レンチキュラレンズスクリーン１２（レンズシート）の下側の筒部２０ｂが完全にいくつかの筒に分かれている例である。筒部２０ｂをレンズシートと別体で設ける場合には、材料の削減を図ることができる。
【００３９】
また、図５（ｃ）に示す例は、レンチキュラレンズスクリーン１２（レンズシート）の下側の筒部２０ｂの上側に窓が開けられた例である。この窓からコイルバネや板バネ等のバネを通し、バネのテンションが筒部２０ｂ内の棒材にかかるようにする。
【００４０】
＜上部の構成＞
次に、レンチキュラレンズスクリーン１２（レンズシート）の上部の取り付け構造について説明する。図６は、レンチキュラレンズスクリーンの上部の取り付け構造の例（その１）を説明する模式断面図である。図１や図２に示す例では、レンチキュラレンズスクリーン１２（レンズシート）の上側に筒部２０ａを設け、これを止め具５１ａとベズル５２ａとの間に引っ掛ける構成としたが、図６に示す例では、レンチキュラレンズスクリーン１２（レンズシート）の上端を例えば２回以上１０ｍｍ以上折り曲げて折り曲げ部１２ａを構成し、この折り曲げ部１２ａを止め具５１ａとベズル５２ａとの間に引っ掛けるようにしている。
【００４１】
レンチキュラレンズスクリーン１２（レンズシート）は、厚み０．１ｍｍ〜０．９ｍｍ程度で、材質はＰＥＴなどの樹脂のため、こしがかなり強く、このような折り曲げ部１２ａを設けるだけでもレンズシート自体を支えることができる。しかも、レンチキュラレンズスクリーン１２（レンズシート）と止め具５１ａおよびベズル５２ａ間は自由保持となっているので強固な固定はされておらず、温度や湿度の環境変化があってレンズシートとベズル５２ａなどとの間に膨張係数の違いがあっても、紙面垂直方向に自由に移動出来る余地があり、レンチキュラレンズスクリーン１２（レンズシート）にしわが生じないことになる。
【００４２】
折り曲げ部１２ａは、図６に示す例のほか、図７に示すように２回以上折り曲げるようにしてもよい。
【００４３】
また、図８は、別の止め具の例を説明する模式断面図である。図６、図７に示す止め具５１ａでは、レンチキュラレンズスクリーン１２（レンズシート）の上端に設けた折り曲げ部１２ａが止め具５１ａおよびベズル５２ａのほかにフレネルレンズスクリーン１１（レンズ基板）の上端面にも引っ掛かる構造であるが、図８に示す例では、レンチキュラレンズスクリーン１２（レンズシート）の折り曲げ部１２ａがフレネルレンズスクリーン１１（レンズ基板）の上端面にはかからず、止め具５１ａおよびベズル５２ａだけにかかる構造である。
【００４４】
すなわち、止め具５１ａの内側にはフレネルレンズスクリーン１１（レンズ基板）の上端面の上側に伸びる凸部５１０が設けられており、この凸部５１０に折り曲げ部１２ａが引っ掛かる状態となる。これにより、折り曲げ部１２ａを介してレンチキュラレンズスクリーン１２（レンズシート）の下方向へのテンションがフレネルレンズスクリーン１１（レンズ基板）に掛からないようにすることができる。
【００４５】
＜リアプロジェクション装置＞
本実施形態に係る透過型スクリーン１は、主としてリアプロジェクション装置の投影スクリーンに適用される。図９は、リアプロジェクション装置の外観構成を説明する模式斜視図である。このリアプロジェクション装置１００は、基台２と、この基台２に支持される筐体３とを構造体として構成される。筐体３には、本実施形態の透過型スクリーン１が垂直に保持する正面のベズル５２と、透過型スクリーン７の背面側を覆うバックカバー５３とで構成されており、筐体３の内部に設けられた投影装置（図示せず）から投射された映像が透過型スクリーン７の内側に照射され、透過型スクリーン７の表側（出射面）に透過して映像を映し出すようになっている。
【００４６】
本実施形態の透過型スクリーン１は、筐体３の内側からベズル５２の部分に当接する状態で取り付けられている。図１０は、透過型スクリーンの取り付け状態を説明する図で、筐体の内側からみた平面図となっている。
【００４７】
本実施形態の透過型スクリーン１は、先に説明したように、フレネルレンズスクリーン１１（レンズ基板）とレンチキュラレンズスクリーン１２（レンズシート）とが重ね合わされた構成となっており、筐体内部の投影装置から映像が投射される側にフレネルレンズスクリーン１１、透過側にレンチキュラレンズスクリーン１２が配置される。この２つのレンズスクリーンを筐体３の内側に取り付けるため、ベズル５２の裏側に透過型スクリーン１を配置した状態で止め具５１によって固定する。
【００４８】
止め具５１は透過型スクリーン１の４辺に対応して設けられており、透過型スクリーン１をベズル５２との間で挟み込んでボルトＢによってベズル５２に固定する。透過型スクリーン１におけるレンチキュラレンズスクリーン１２（レンズシート）の固定は、先に説明した自由保持となっており、止め具５１とベズル５２との間で軽く挟まる状態で保持されている。
【００４９】
また、図１０には示されないが、透過型スクリーン１におけるレンチキュラレンズスクリーン１２（レンズシート）の下端にはテンション部材が設けられ、レンチキュラレンズスクリーン１２（レンズシート）に対して下側にテンションをかけている。
【００５０】
このような止め具５１による固定によって、透過型スクリーン１におけるレンチキュラレンズスクリーン１２（レンズシート）は下側へのテンションによって平面性を確保しつつ、環境変化による膨張収縮があってもその膨張収縮による変化を自由保持によって吸収でき、しわの発生を抑制できるようになる。
【００５１】
しかも、レンズスクリーンの一方がレンズシートとなっていることから、両方がレンズ基板によって構成される場合に比べて軽量化およびコストダウンを図ることができるとともに、レンズスクリーンの他方がレンズ基板となっていることで、両方がレンズシートの場合に比べて自立性（保持性）があり、保持機構を簡素化することができる。
【図面の簡単な説明】
【００５２】
【図１】本実施形態に係る透過型スクリーンの概要を説明する模式斜視図である。
【図２】透過型スクリーンの上下端部分を説明する断面図である。
【図３】テンション部材の例（その２）を説明する断面図である。
【図４】テンション部材として板バネを用いる例を説明する断面図である。
【図５】レンチキュラレンズスクリーン（レンズシート）の下側の筒部の形状を説明する模式図である。
【図６】レンチキュラレンズスクリーンの上部の取り付け構造の例（その１）を説明する模式断面図である。
【図７】２回以上折り曲げる例を説明する模式断面図である。
【図８】別の止め具の例を説明する模式断面図である。
【図９】リアプロジェクション装置の外観構成を説明する模式斜視図である。
【図１０】透過型スクリーンの取り付け状態を説明する図で、筐体の内側からみた平面図である。
【符号の説明】
【００５３】
１…透過型スクリーン、２…基台、３…筐体、１１…フレネルレンズスクリーン（レンズ基板）、１２…レンチキュラレンズスクリーン（レンズシート）、２０ａ…筒部、２０ｂ…筒部、３０…重り、３１…棒材、３２…棒材、５１…止め具、５２…ベズル、１００…リアプロジェクション装置
【図１】
2009047816.tif 000003
【図２】
2009047816.tif 000004
【図３】
2009047816.tif 000005
【図４】
2009047816.tif 000006
【図５】
2009047816.tif 000007
【図６】
2009047816.tif 000008
【図７】
2009047816.tif 000009
【図８】
2009047816.tif 000010
【図９】
2009047816.tif 000011
【図１０】
2009047816.tif 000012